(57)【要約】      （修正有）【課題】映し出す範囲を広くし傷が付きにくくした構造のコンパクトミラーを提供する。【解決手段】鏡を内蔵した第１、第２部材１０、２０を回動により折り畳み可能なコンパクトミラー１において、前記鏡はそれぞれ、第１、第２部材１０、２０を折り畳んだ場合に対向する向きに備えられ、第１部材１０は、前記鏡として凸面鏡１２を備えると共に、凸面鏡１２よりも外側の周囲には、凸面鏡１２の中央部１２ａよりも高く形成される突起１５を備える。さらに、第２部材２０には、突起１５を収納する凹部２５を備える。【選択図】図１
0003206799.tif 000002
【実用新案登録請求の範囲】
【請求項１】
鏡を内蔵した２つの部材を回動により折り畳み可能なコンパクトミラーにおいて、
前記鏡はそれぞれ、前記２つの部材を折り畳んだ場合に対向する向きに備えられ、
前記部材の一方は、前記鏡として凸面鏡を備えると共に、前記凸面鏡よりも外側の周囲には、前記凸面鏡の中央部よりも高く形成される突起を備えることを特徴とするコンパクトミラー。
【請求項２】
請求項１に記載のコンパクトミラーにおいて、
前記部材の他方には、前記突起を収納する凹部を備えることを特徴とするコンパクトミラー。
【請求項３】
請求項１又は請求項２に記載のコンパクトミラーにおいて、
前記突起は３箇所に備えられていることを特徴とするコンパクトミラー。
【請求項４】
請求項１から請求項３のいずれか一項に記載のコンパクトミラーにおいて、
前記部材の他方には、前記鏡として凹面鏡を備えることを特徴とするコンパクトミラー。
【請求項５】
請求項１から請求項４のいずれか一項に記載のコンパクトミラーにおいて、
前記２つの部材の回動可能な角度は２７０°以上であることを特徴とするコンパクトミラー。
【考案の詳細な説明】
【技術分野】
【０００１】
本考案は、内部に鏡を内蔵し折り畳み可能なコンパクトミラーに関する。
【背景技術】
【０００２】
従来、化粧ミラーとして内部に１枚ないし２枚の鏡を内蔵し、２つの部材を重ね合わせて折り畳み可能な懐中型のコンパクトミラーが広く用いられてきた。そして、コンパクトミラーに用いる鏡は、平面鏡か、平面鏡と凹面鏡の組み合わせであることが多かった。平面鏡であれば目元や口もとを見ることができ、凹面鏡であれば、さらに拡大して見ることができた。
【考案の概要】
【考案が解決しようとする課題】
【０００３】
しかし、平面鏡は、その特性上、鏡との距離にかかわらず、鏡の大きさの２倍の範囲でしか映し出すことができない。このため、通常のコンパクトミラーの大きさでは、平面鏡で顔全体もしくは髪型を確認するには不十分であった。そして、鏡の大きさが小さくなるほどその傾向は顕著になった。
【０００４】
また、範囲を広く映し出す鏡として凸面鏡があるが、凸面鏡はその中央部が周囲よりも突出しているため、他のものと触れた場合にミラー面の中央部が傷つき易いという懸念がある。
【０００５】
また、コンパクトミラーの使い方として、９０度ほど開いて手に持って使う場合もあるが、両手を使用したい場合は、机の上等に置いて使用する。しかし、この場合は、通常は、９０度からさらに数十度の範囲で開いて使用するため、重心が後ろになり、後ろ側に倒れ易く安定しない。
【０００６】
そこで、コンパクトミラーを２７０度以上開いて机の上等の置いて使う方法もあり、この場合は、使用しない鏡が下面となる。しかし、下面となる鏡が凸面鏡となった場合、特に、中央部が物とこすれて傷つき易い他に、座りが悪く位置が安定しないという問題も生じてしまう。
【０００７】
本考案は、上記課題に鑑みて、映し出す範囲を広くし傷が付きにくくした構造のコンパクトミラーを提供することを目的とする。
【課題を解決するための手段】
【０００８】
上記課題を解決するために、代表的な本考案のコンパクトミラーの１つは、鏡を内蔵した２つの部材を回動により折り畳み可能なコンパクトミラーにおいて、前記鏡はそれぞれ、前記２つの部材を折り畳んだ場合に対向する向きに備えられ、前記部材の一方は、前記鏡として凸面鏡を備えると共に、前記凸面鏡よりも外側の周囲には、前記凸面鏡の中央部よりも高く形成される突起を備えることを特徴とする。
【０００９】
本考案によるコンパクトミラーの一実施例において、前記部材の他方には、前記突起を収納する凹部を備えることを特徴とする。また、前記突起は３箇所に備えられていることを特徴とする。また、前記部材の他方には、前記鏡として凹面鏡を備えることを特徴とする。また、前記２つの部材の回動可能な角度は２７０°以上であることを特徴とする。
【考案の効果】
【００１０】
本考案によれば、コンパクトミラーにおいて、映し出す範囲を広くし傷を付きにくくすることができる。
【図面の簡単な説明】
【００１１】
【図１】図１は、本考案のコンパクトミラーを１８０°開いた状態の一例を示す平面図である。
【図２】図２は、本考案のコンパクトミラーを１８０°開いた状態の一例を示す側面図である。
【図３】図３は、本考案のコンパクトミラーを閉じた状態の一例を示す側面図である。
【図４】図４は、本考案のコンパクトミラーを２８５°開いた状態の一例を示す平面図である。
【考案を実施するための形態】
【００１２】
以下、本考案の実施の形態について図面を用いて説明する。
【００１３】
図１は、本考案のコンパクトミラーを１８０°開いた状態の一例を示す平面図である。図２は、本考案のコンパクトミラーを１８０°開いた状態の一例を示す側面図である。
【００１４】
コンパクトミラー１は、第１部材１０と第２部材２０が相互に、回動機構３０により回動可能に構成されており、第１部材１０と第２部材２０を重ね合わせて折り畳み可能となっている。以下、折り畳んだ状態（図３参照）で、第１部材１０と第２部材２０が対向する側が回動方向内側とする。
【００１５】
第１部材１０は、第１フレーム１１、凸面鏡１２、突起１５を備えている。また、第１フレーム１１には、係合部１８を備えていてもよい。
【００１６】
第１フレーム１１は、全体として円板形状であり、中央部の回動方向内側に凸面鏡１２を設置できるようになっている。そして、凸面鏡１２を設置した状態において、第１フレーム１１は、凸面鏡１２よりも外周側の周囲に、凸面鏡１２の中央部１２ａよりも（回動方向内側に向けた）高さのある周囲フレーム部１１ａを有している。周囲フレーム部１１ａの高さは一定であり、凸面鏡１２の外周側の全周にわたって形成されている。
【００１７】
凸面鏡１２は、周囲が円形状であり中央部１２ａに行くに従い突出している形状であり、同じ大きさの平面鏡よりも広い範囲を映し出すことが可能な鏡である。そして、凸面鏡１２の凸面は、コンパクトミラーを使用する適切な距離で、顔全体や、髪型全体を映し出せるように決定される。
【００１８】
突起１５は、周囲フレーム部１１ａの上面（回動方向内側に向けた面）に設定されて一定の高さを有している突起である。図１では、１２０°ごとに、３箇所設置されており、係合部１８の位置にかからないように、係合部１８から３０°ずれている例を示している。
【００１９】
係合部１８は、コンパクトミラー１を閉じたとき第２部材２０側の係合部２８と係合して、閉じた状態を保持出来るように、回動機構３０と反対側の周囲フレーム部１１ａに設けられている。本実施形態では、係合部１８は突起状の部材の例を示しており、この高さは突起１５の高さよりも低く形成されている。
【００２０】
第２部材２０は、第２フレーム２１、凹面鏡２２を備えている。また、第２フレーム２１には、凹部２５を備えている。また、第２フレーム２１に係合部２８を備えていてもよい。
【００２１】
第２フレーム２１は、中央部の回動方向内側に凹面鏡２２を設置できるようになっている。そして、凹面鏡２２を設置した状態において、第２フレーム２１は、凹面鏡２２よりも外周側の周囲に、凹面鏡２２よりも（回動方向内側に向けた）高さのある周囲フレーム部２１ａを有している。周囲フレーム部２１ａの高さは一定であり、凹面鏡２２の外周側の全周にわたって形成されている。
【００２２】
凹面鏡２２は、周囲が円形状であり中央部に行くに従いくぼんでいる形状であり、同じ大きさの平面鏡よりも狭い範囲を拡大して映し出すことが可能な鏡である。凹面鏡２２の凹面は、コンパクトミラーとして、適切な拡大をして映し出せるように決定される。例えば、このときの拡大率は２倍でも良く、さらには、４倍として、はっきりと目元や口元を確認できるようにしてもよい。
【００２３】
凹部２５は、周囲フレーム部２１ａの上面（回動方向内側に向けた面）に設けられ、コンパクトミラー１を折り畳んだ状態で、突起１５を格納できる大きさの穴である。このため凹部２５は、突起１５よりも大きく、深さも突起１５の高さよりも深い。凹部２５の位置は、突起１５に対向する位置であり、図１では、突起１５の位置に合わせて１２０°ごとに３箇所、係合部２８から３０°ずれて設置されている例を示している。
【００２４】
係合部２８は、係合部１８と係合するために、本実施形態では、凹みとなっている例を示している。
【００２５】
回動機構３０は、第１部材１０と第２部材２０が相互に回動可能にするため、例えば、第１フレーム１１の側面と第２フレーム２１側面の間に軸を介して接続されるヒンジで構成されている。回動機構３０により、第１部材１０と第２部材２０の間の角度である開角度θは０°から２７０°以上、例えば、０°から３００°程度まで回動出来るようになっている。開角度θが０°の場合は折り畳んだ状態となる。
【００２６】
図３は、本考案のコンパクトミラーを閉じた状態の一例を示す側面図である。図３の状態では、開角度θは０°であり、第１部材１０の回動方向内側と第２部材２０の回動方向内側同士が重ね合わさっている状態である。
【００２７】
図３の状態では、第１部材１０側の突起１５は、第２部材２０側の凹部２５の内部にすべて入るようになっている。これにより、第１フレーム１１の周囲フレーム部１１ａと第２フレーム２１の周囲フレーム部２１ａが全周にわたって当接することを可能とする。また、図３の状態において、凸面鏡１２と凹面鏡２２は向かい合っており、これらの間には一定のクリアランス（例えば１ｍｍ以上）を有している。また、この状態では、係合部１８と係合部２８は係合しており、閉じた状態を保持出来るようになっている。
【００２８】
図３のように、コンパクトミラー１を折り畳めることと、突起１５を凹部２５に収納できる構成であるので、コンパクトミラー１を全体としてコンパクトにして持ち運びができる。さらに、周囲フレーム部１１ａと周囲フレーム部２１ａが全周にわたって当接することで、周囲から埃や塵等が凸面鏡１２及び凹面鏡２２に流入することを防ぎ、凸面鏡１２及び凹面鏡２２を清潔に保つことができる。
【００２９】
図４は、本考案のコンパクトミラーを２８５°開いた状態の一例を示す平面図である。この状態では、第１部材１０の回動方向内側が下面となり、第２部材２０の凹面鏡２２を垂直より１５度奥側に傾けて使用する状態を示す。
【００３０】
図４の状態では、コンパクトミラー１は、配置面１００上に、第１部材１０の突起１５の回動方向内側の端部が当接して置かれている。このため、配置面１００から凸面鏡１２の中央部１２ａまでの距離Ａは、突起１５の高さＢに、周囲フレーム部１１ａと凸面鏡１２の中央部１２ａの高さ方向の距離を加えたものとなる。
【００３１】
図４では、開角度θが２７０°以上である２８５°となっているため、第２部材２０の重心は第１部材１０の上側に位置しており、安定した重量バランスを保つことができる。また、配置面１００からの距離Ａは突起１５の高さＢも加えているので、たとえ凹凸がある配置面の場合でも凸面鏡１２に傷がつきにくくなる。そして、特に傷をつけたくない中央部１２ａの傷を防止できる。また、高さがあることで配置面１００上の埃やよごれも凸面鏡１２に付きにくくなる。なお、突起１５は３箇所に設けてあるので、いずれの突起１５も浮くことなく３箇所の当接により安定性を得られる。
【００３２】
以上の様に、本考案の実施形態について示してきたが、本考案は上記した実施形態に限定されるものではなく、様々な変形例が含まれる。例えば、上記した実施形態に設けられた全ての構成を備えるものに限定されるものではない。
【００３３】
例えば、第１フレーム１１、第２フレーム２１は全体として円板状としたが、これに限らず四角等の多角形や円以外の形状としてもよい。
【００３４】
また、突起１５の数は３つとすることで安定性があることを説明したが、これ以外に、１つの突起や、２つの突起、さらには３以上の突起、または、全周にわたって突出した突起の形状としてもよい。この場合、突起を格納するための凹部は、突起に合わせた形状と位置で形成される。
【００３５】
また、折り畳んだ状態で、凸面鏡１２と凹面鏡２２が干渉しない範囲であれば、周囲フレーム部１１ａの高さは、凸面鏡１２の中央部１２ａの高さよりも低くしてもよい。ただし、突起１５の回動方向内側の先端は、凸面鏡１２の中央部１２ａよりも高くすることが必要である。
【００３６】
また、凹面鏡２２の代わりに平面鏡としてもよい。
【符号の説明】
【００３７】
１      コンパクトミラー
１０    第１部材
１１    第１フレーム
１１ａ  周囲フレーム部
１２    凸面鏡
１２ａ  中央部
１５    突起
２０    第２部材
２１    第２フレーム
２１ａ  周囲フレーム部
２２    凹面鏡
２５    凹部
２５    突起
３０    回動機構
【図１】
0003206799.tif 000003
【図２】
0003206799.tif 000004
【図３】
0003206799.tif 000005
【図４】
0003206799.tif 000006